(57)【要約】【課題】ジャム発生時の紙葉類の取り除き作業が容易な紙葉類処理装置を提供する。【解決手段】紙葉類処理装置（紙幣入出金機１）は、第１及び第２の一対の搬送面６２５、６５４を含む搬送路４３２と、搬送路４３２に沿って搬送される紙葉類を収納するよう構成された、少なくとも１の収納モジュール６２と、搬送路及び収納モジュールを内蔵する本体と、を備える。収納モジュール６２は、所定の着脱方向に移動させることによって本体に対し取り付け及び取り外しが可能であり、収納モジュール６２を本体に対し取り付けたときには、収納モジュール６２の外面の一部が、第１の搬送面６２５を形成する一方、収納モジュール６２を本体から取り外したときには、当該取り外し先の位置から着脱方向に見て、第２の搬送面６５４が視認可能に開放される。【選択図】図１２
2012226494.tif 000002
【特許請求の範囲】
【請求項１】
紙葉類の処理を行う紙葉類処理装置であって、
互いに向かい合った第１及び第２の一対の搬送面を含みかつ、当該搬送面同士の間で前記紙葉類を搬送するよう構成された搬送路と、
前記搬送路に沿って搬送される前記紙葉類を収納するよう構成された、少なくとも１の収納モジュールと、
前記搬送路及び前記収納モジュールを内蔵する本体と、を備え、
前記収納モジュールは、所定の着脱方向に移動させることによって前記本体に対し取り付け及び取り外しが可能であり、当該収納モジュールを前記本体に対し取り付けたときには、前記収納モジュールの外面の一部が、前記第１の搬送面を形成する一方、前記収納モジュールを前記本体から取り外したときには、当該取り外し先の位置から前記着脱方向に見て、前記第２の搬送面が視認可能に開放される紙葉類処理装置。
【請求項２】
前記収納モジュールは、第１及び第２の、少なくとも２つの収納モジュールを含んでいて、前記第１の収納モジュールが前記着脱方向の手前側になり、前記第２の収納モジュールが前記着脱方向の奥側になるように隣り合って、前記本体に取り付けられ、
前記第１の収納モジュールは、その外面の一部が前記第１の搬送面を形成し、前記第２の収納モジュールは、その外面の一部が前記第２の搬送面を形成し、
前記第１の収納モジュールは、前記本体に対して取り付け及び取り外しが可能であり、当該第１の収納モジュールを前記本体から取り外したときには、前記第２の収納モジュールによって形成される前記第２の搬送面が視認可能に開放される請求項１に記載の紙葉類処理装置。
【請求項３】
前記第１及び第２の収納モジュールは互いに連結可能に構成されており、
前記第１及び第２の収納モジュールは互いに連結されて一体となった状態で、前記本体から取り外しが可能である請求項２に記載の紙葉類処理装置。
【請求項４】
前記搬送路は、水平方向に実質的に平行な搬送方向に前記紙葉類を搬送し、
前記収納モジュールの前記着脱方向は、前記搬送方向に実質的に直交する略垂直方向に設定されている請求項１〜３のいずれか１項に記載の紙葉類処理装置。
【発明の詳細な説明】
【技術分野】
【０００１】
ここに開示する技術は、紙幣、及びその他の紙葉類の処理を行う紙葉類処理装置に関する。
【背景技術】
【０００２】
特許文献１は、現金自動取引装置に実装される紙幣入出金機を開示している。この紙幣入出金機は、第１〜第３の３つの金庫カセットを備えている。各金庫カセットは、紙幣入出金機に投入された紙幣を収納するカセットであり、３つの金庫カセットは、紙幣入出金機の下部ユニット内に前後方向に並んで配置されている。投入口に投入された紙幣は、装置内部に配設された搬送路に沿って搬送されて、各カセットに至る。この搬送路の一部は、各金庫カセットの上面と、前後方向に並んだ３つの金庫カセットに跨るように、これらの金庫カセットの上側で前後方向に延びて配設された搬送路ユニットとによって構成されている。紙幣は、各金庫カセットの上面（以下、この面を搬送面という場合がある）と、搬送路ユニットの下面（つまり、搬送面）との間に挟まれて搬送される。
【０００３】
特許文献２は、例えば銀行等の金融機関におけるテラーカウンターに設置され、窓口業務を行うテラーが操作する紙幣入出金機を開示している。この入出金機は、紙幣を収納する収納ユニットを６個備えている。６個の収納ユニットは、その内の３個が前後方向に並んで配置されることで列を構成すると共に、その３個の収納ユニットのそれぞれに、別の収納ユニットが上下に重ねられて配置されている。言い換えると、上下に重ねられた一対の収納ユニットが、前後方向に三対、並んでいる。この入出金機では、上側の収納ユニットの列と、下側の収納ユニットの列との間に搬送路が形成されている。より詳細には、上側の列を構成する各収納ユニットは、その下面が搬送路の上側の搬送面を構成し、下側の列を構成する収納ユニットは、その上面が搬送路の下側の搬送面を構成する。
【先行技術文献】
【特許文献】
【０００４】
【特許文献１】特許第２５３８９１１号公報
【特許文献２】国際公開第２００８／０４７０９４号
【発明の概要】
【発明が解決しようとする課題】
【０００５】
ところで、前記の特許文献に記載されているような紙幣入出金機を含む、紙葉類処理装置においては、紙葉類の搬送中にその紙葉類が引っ掛かる等してジャムが発生する場合がある。ジャム発生時には装置を開けて、詰まっている紙葉類を搬送路から手で取り除かなければならない。
【０００６】
このジャム発生時の紙幣の取り除きのために、特許文献１の紙幣入出金機では、前後方向に延びる搬送ユニットの後端部が、上向きに回動可能となるよう下部ユニットに取り付けられている。つまり、特許文献１の紙幣入出金機では、ジャム発生時には、下部ユニットを筐体から引き出した上で、搬送路ユニットを、その後端軸を中心に回動させることによって、搬送路ユニットと各金庫カセットとの間に形成された搬送路を開放し、紙幣を取り除くことを可能にしている。
【０００７】
しかしながら、搬送路ユニットを軸支した構成では、特許文献１の図４に示されるように、回動角度が一定のときには、その軸から離れた側は相対的に大きく開放されて紙幣の取り除きが比較的容易になるのに対し、軸に近い側は余り大きく開放されないため、紙幣の取り除きがし難くなる。
【０００８】
また、特許文献２の紙幣入出金機では、上下に重なる一対の収納ユニットの左側部同士、より正確には、上側の収納ユニットの左下端部と、下側の収納ユニットの左上端部とがヒンジ結合されており、これによって、上側の収納ユニットが、下側の収納ユニットの左外方に向かって回動することを可能にしている。つまり、特許文献２の紙幣入出金機では、ジャム発生時には、６個の収納ユニットを筐体から前側に引き出した上で、上側の収納ユニットを左外方に向かって回動させることによって、当該上側の収納ユニットと下側の収納ユニットとの間に形成された搬送路を開放し、紙幣を取り除くことを可能にしている。
【０００９】
しかしながら、収納ユニット同士をヒンジ結合した構成では、特許文献１の紙幣入出金機と同様に、回動角度が一定のときには、ヒンジ結合部に近い側では、紙幣が取り除き難くなる。また、この特許文献２の紙幣入出金機では上側の収納ユニットを回動させるが、収納ユニットはその内部に紙幣を収納する分だけ、高さ方向に比較的、かさ高であり、上側の収納ユニットを、その左下端部を中心として左外方に向かって回動させたときには、左上端部付近が装置の左外方に大きく移動するようになる。そのため、例えば、紙幣入出金機の左側を壁に近づけて設置してしまうと、上側の収納ユニットが壁と干渉してしまうため、その上側の収納ユニットを大きく回動させることができず、紙幣の取り除きが極めて困難になるという不都合がある。
【００１０】
また、収納ユニットを左外方に向かって回動させるためには、そのヒンジ結合側とは反対側である、装置の右側方に作業者が位置して、上側の収納ユニットを持ち上げなければならない。しかしながら、入出金機の設置スペースの如何によっては、そうした作業スペースを確保することも困難となって、ジャム発生時の紙幣の取り除きの作業性が悪化することもある。
【００１１】
ここに開示する技術は、かかる点に鑑みてなされたものであり、その目的とするところは、ジャム発生時の紙葉類の取り除き作業が容易な紙葉類処理装置を提供することにある。
【課題を解決するための手段】
【００１２】
ここに開示する装置は、紙葉類の処理を行う紙葉類処理装置である。この紙葉類処理装置は、互いに向かい合った第１及び第２の一対の搬送面を含みかつ、当該搬送面同士の間で前記紙葉類を搬送するよう構成された搬送路と、前記搬送路に沿って搬送される前記紙葉類を収納するよう構成された、少なくとも１の収納モジュールと、前記搬送路及び前記収納モジュールを内蔵する本体と、を備える。
【００１３】
そして、前記収納モジュールは、所定の着脱方向に移動させることによって前記本体に対し取り付け及び取り外しが可能であり、当該収納モジュールを前記本体に対し取り付けたときには、前記収納モジュールの外面の一部が、前記第１の搬送面を形成する一方、前記収納モジュールを前記本体から取り外したときには、当該取り外し先の位置から前記着脱方向に見て、前記第２の搬送面が視認可能に開放される。
【００１４】
ここで、「収納モジュール」は、搬送路に沿って搬送されてきた紙葉類を収納するモジュール、収納している紙葉類を繰り出して搬送路に沿って搬送させるモジュール、及び、その双方を行うモジュールを含む。
【００１５】
また、「収納モジュールの取り外し」は、本体に対して収納モジュールが分離することを意味し、例えばヒンジ結合等のように、収納モジュールと本体とが結合したままで分離しないことは含まない。但し、例えばチェーン等のひも状の部材によって本体と収納モジュールとが互い連結されており、収納モジュールを本体から取り外して、収納モジュールと本体とを分離したときに、当該ひも状の部材を介して両者が互いに連結されている構成は含まれる。また、収納モジュールと本体との間に、両者の結合と非結合とを切り替えるロック機構を設けてもよい。この構成では、ロック機構が収納モジュールと本体とを結合しているときには、収納モジュールと本体とを分離することはできないが、ロック機構が収納モジュールと本体とを非結合にしているときには、収納モジュールと本体とを分離することができる。
【００１６】
この構成によると、収納モジュールを本体に対し取り付けたときには当該収納モジュールの外面の一部によって第１の搬送面が形成される。紙葉類は、この第１の搬送面及び第２の搬送面によって構成される搬送路に沿って搬送される。
【００１７】
この紙葉類処理装置においてジャムが発生したときには、収納モジュールを本体から取り外す。このことによって、搬送路における第２の搬送面を開放する。このとき収納モジュールは、所定の着脱方向に移動させることによって本体から取り外され、収納モジュールは本体から分離される。このため、収納モジュールと本体とを互いに結合した構成例、例えばヒンジ結合の採用によって収納モジュールと本体とを互いに結合した構成例では、その結合構造によって収納モジュールの動きが制約を受ける。つまり、ヒンジ結合の場合、収納モジュールはヒンジ軸を中心とした回動しかできない。このため、紙葉類処理装置の周囲における特定の位置（例えば収納モジュールの回動先の位置）に、収納モジュールの移動を許容する空きスペースを確保しなければならない。
【００１８】
これに対し、収納モジュールと本体とを分離可能にした前記の構成では、空きスペースに関する制約がなくなる。このことは、紙葉類処理装置の周囲のどこに空きスペースがあっても、収納モジュールを本体から容易に取り外すことを可能にする。また、収納モジュールが本体から分離されるため、搬送路、ひいては第２の搬送面を、取り外しの方向から視認可能に大きく開放することが可能になる。つまり、収納モジュールを上向きに移動させた構成では、上から見て視認可能に第２の搬送面が開放され、収納モジュールを前向きに移動させた構成では、前から見て視認可能に第２の搬送面が開放される。そうして、ジャム発生時の紙葉類の取り除き作業が容易になる。
【００１９】
前記収納モジュールは、第１及び第２の、少なくとも２つの収納モジュールを含んでいて、前記第１の収納モジュールが前記着脱方向の手前側になり、前記第２の収納モジュールが前記着脱方向の奥側になるように隣り合って、前記本体に取り付けられ、前記第１の収納モジュールは、その外面の一部が前記第１の搬送面を形成し、前記第２の収納モジュールは、その外面の一部が前記第２の搬送面を形成し、前記第１の収納モジュールは、前記本体に対して取り付け及び取り外しが可能であり、当該第１の収納モジュールを前記本体から取り外したときには、前記第２の収納モジュールによって形成される前記第２の搬送面が視認可能に開放される、としてもよい。
【００２０】
ここで、「第１の収納モジュールは、前記本体に対して取り付け及び取り外しが可能」であることには、第１の収納モジュールを、本体に対して直接的に、取り付け及び取り外しを可能することの他にも、本体に対して取り付けられている第２の収納モジュールに対し、第１の収納モジュールの取り付け及び取り外しを可能にすることによって、第１の収納モジュールを、本体に対して間接的に、取り付け及び取り外しを可能することも含まれる。また、第１の収納モジュールと第２の収納モジュールとの間に、ロック機構を設けてもよい。
【００２１】
この構成においても、前記と同様に、ジャム発生時には、着脱方向の手前側に取り付けられている第１の収納モジュールを本体から取り外すことによって、第１の収納モジュールを本体から分離し、第２の収納モジュールによって形成される第２の搬送面を大きく開放することが可能になる。こうして、第１の収納モジュールを容易に取り外すことと、第２の搬送面を大きく開放することとが組み合わさって、ジャム発生時の紙葉類の取り除き作業が容易になる。
【００２２】
前記第１及び第２の収納モジュールは互いに連結可能に構成されており、前記第１及び第２の収納モジュールは互いに連結されて一体となった状態で、前記本体から取り外しが可能である、としてもよい。
【００２３】
前記搬送路は、水平方向に実質的に平行な搬送方向に前記紙葉類を搬送し、前記収納モジュールの前記着脱方向は、前記搬送方向に実質的に直交する略垂直方向に設定されている、としてもよい。
【００２４】
この構成は、紙葉類処理装置の本体から収納モジュールを水平方向に引き出し、その引き出した状態から収納モジュールを上向きに取り外す構成において、紙葉類の取り除きを容易にする上で有利である。この構成は特に、紙葉類処理装置の左右両側に空きスペースが十分に確保できないときでも、収納モジュールを上向きに容易に取り外して第２の搬送路を上向きに開放することによって、紙葉類を容易に取り除くことを可能にする。
【発明の効果】
【００２５】
以上説明したように、前記の紙葉類処理装置は、ジャム発生時の紙葉類の取り除きを容易に行うことができる。
【図面の簡単な説明】
【００２６】
【図１】紙幣入出金機の外観を示す斜視図である。
【図２】紙幣入出金機の内部構造を示す図である。
【図３】紙幣入出金機の動作制御に係る構成を示すブロック図である。
【図４】入金処理時における紙幣の搬送経路を示す図である。
【図５】一時保留部を利用する場合の、入金処理時における紙幣の搬送経路を示す図である。
【図６】出金処理時における紙幣の搬送経路を示す図である。
【図７】収納モジュールへの紙幣の収納状態の一例と、その収納状態を利用した一部精査処理を説明する図である。
【図８】紙幣の記番号管理を伴う、収納モジュールへの紙幣の収納形態の例を説明する図である。
【図９】テープの番地管理を伴う、収納モジュールへの紙幣の収納形態の例を説明する図である。
【図１０】紙幣入出金機の出金処理に係るフローチャートである。
【図１１】計数処理時における紙幣の搬送経路を示す図である。
【図１２】収納部を金庫部から引き出した状態を示す斜視図である。
【図１３】上収納モジュールの斜視図である。
【図１４】上収納モジュールの天地を反転させた状態の斜視図である。
【図１５】下収納モジュールの斜視図である。
【図１６】下収納モジュールの天地を反転させた状態の斜視図である。
【図１７】台板の斜視図である。
【図１８】下収納モジュールと台板との結合箇所を拡大して示す断面図である。
【図１９】上収納モジュールと下収納モジュールとの結合箇所を拡大して示す正面図である。
【発明を実施するための形態】
【００２７】
以下、紙幣入出金機の実施形態を図面に基づいて説明する。尚、以下の好ましい実施形態の説明は例示である。図１は、紙幣入出金機（以下、単に入出金機という）１の外観を示している。この入出金機１は、例えば銀行のテラーカウンターに設置されかつ、この入出金機１を挟んだ左右二人のテラーによって共用で使用される。このため、この入出金機１は、基本的には左右対称に構成されている。
【００２８】
この入出金機１は、詳しくは後述するが、投入口２１１に投入された紙幣を収納部３に収納する入金処理、及び、収納部３に収納している紙幣を出金口２３１に払い出す出金処理を少なくとも実行する。この入出金機１は、いわゆる循環式の入出金機であり、出金処理時に払い出す紙幣には、入金処理時に収納部３に収納した紙幣が含まれる。
【００２９】
入出金機１は、図１及び２に示すように、上側の処理部１１と、下側の金庫部１３とに大別される。処理部１１を構成する筐体１１１内には、投入口２１１を有する入金部２１と、出金口２３１を有する出金部２３と、紙幣の識別を行う識別部２５と、入金部２１、出金部２３及び識別部２５を相互に連結するループ搬送路４１１を含む処理部側搬送部４１と、が配設されている。一方、金庫部１３を構成する筐体１３１内には、複数の（図例では８個の）巻き取り方式の収納モジュール３１を含んで構成された収納部３と、処理部側搬送部４１のループ搬送路４１１と各収納モジュール３１とを互いに接続する搬送路４３１を含む金庫部側搬送部４３と、が配設されている。ここで、金庫部１３を構成する筐体１３１は、処理部１１を構成する筐体１１１とは異なり、その内部に格納している収納部３等を、所定以上のセキュリティレベルで防護するように構成された防護筐体１３１である。
【００３０】
入金部２１の投入口２１１は、前述したように、例えば入金処理の際に入金する紙幣を投入するための口である。投入口２１１は、処理部側筐体１１１の上面において上向きに開口していて、複数枚の紙幣を一度に受け入れ可能に構成されている。入金部２１はまた、投入口２１１に投入された複数枚の紙幣を、一枚ずつ、ループ搬送路４１１に繰り出す繰り出し機構を備えている。
【００３１】
出金部２３の出金口２３１は、前述したように、例えば出金処理の際に紙幣を払い出すための口である。出金口２３１は、投入口２１１よりも装置手前側（図２の紙面右側）の、処理部側筐体１１１における上面から前面にかけての位置でかつ、斜め上方に向かって開口している。この出金口２３１も、投入口２１１と同様に、複数枚の紙幣を一度に保持可能に構成されている。
【００３２】
識別部２５は、ループ搬送路４１１上に配設されて、そのループ搬送路４１１に沿って搬送される紙幣の一枚一枚について、その真偽、金種及び正損を識別するように構成されている。
【００３３】
処理部側搬送部４１は、処理部側筐体１１１内においてエンドレスに設けられたループ搬送路４１１を備えている。紙幣は、このループ搬送路４１１に沿って図２における時計回り方向及び反時計回り方向に搬送される。このループ搬送路４１１は、図２に例示するように、多数のローラ、複数のベルト及び複数のガイドの組み合わせによって構成されている。ループ搬送路４１１は、その搬送路に沿って、紙幣と紙幣との間に所定間隔を隔てた状態で、紙幣を一枚ずつ短手搬送する。
【００３４】
ループ搬送路４１１と投入口２１１との間は、投入路４１３によって互いに接続されており、投入口２１１に投入された紙幣は、この投入路４１３を通ってループ搬送路４１１まで搬送される。
【００３５】
ループ搬送路４１１にはまた、払出路４１５が、紙幣の搬送方向を切り替える分岐機構４１７を介して接続されている。払出路４１５の先端は、出金口２３１に接続されている。分岐機構４１７は、ループ搬送路４１１を時計回り方向及び反時計回り方向に搬送されている紙幣を、そのままループ搬送路４１１上で搬送させるか、払出路４１５に引き込むかを切り替えるように動作する。この構成によって、ループ搬送路４１１上を時計回り方向又は反時計回りに搬送されている紙幣は、分岐機構４１７の動作制御によって選択的に、払出路４１５を通って出金口２３１に搬送される。
【００３６】
ループ搬送路４１１上にはまた、第１−第３の分岐機構４１９，４１１１，４１１３が設けられている。第１−第３の分岐機構４１９−４１１３はそれぞれ、互いに異なる３方向に延びる搬送路の集合位置において、所定方向から搬送されてくる紙幣を、それとは別の２方向それぞれに選択的に搬送させるように動作する。分岐機構の具体的な構成は、国際公開第２００９／０３４７５８号に例示されている。
【００３７】
より具体的に、第１の分岐機構４１９は、ループ搬送路４１１と金庫部側搬送部４３の搬送路４３１との接続位置に設けられている。第１の分岐機構４１９は、ループ搬送路４１１上を時計回り方向又は反時計回りに搬送されている紙幣を、選択的に、金庫部側搬送部４３の搬送路４３１に送って、収納部３に収納させるか、又は、収納部３から繰り出されかつ、金庫部側搬送部４３の搬送路４３１に沿って搬送されてきた紙幣を、ループ搬送路４１１上で時計回り方向に搬送させるか、若しくは、反時計回り方向に搬送させるかの切り替えを行う。
【００３８】
また、第２の分岐機構４１１１は、ループ搬送路４１１と接続路４１１５との接続位置に設けられている。接続路４１１５は、詳しくは後述するが、図２においては仮想的に示す一時保留部５１と、ループ搬送路４１１とを互いに連結する。第２の分岐機構４１１１は、ループ搬送路４１１上を時計回り方向又は反時計回りに搬送されている紙幣を、接続路４１１５に送って一時保留部５１に収納させるか、又は、一時保留部５１から繰り出した紙幣を、ループ搬送路４１１上で時計回り方向に搬送させるか、若しくは、反時計回り方向に搬送させるかの切り替えを行う。
【００３９】
さらに、第３の分岐機構４１１３は、ループ搬送路４１１とカセット接続路４１１７との接続位置に設けられている。カセット接続路４１１７は、詳しくは後述するが、図２において仮想的に示す回収カセット５３と、ループ搬送路４１１とを互いに連結する。第３の分岐機構４１１３は、ループ搬送路４１１上を時計回り方向又は反時計回りに搬送されている紙幣を、選択的にカセット接続路４１１７に送り、それを回収カセット５３に収納するように動作する。
【００４０】
収納部３は、前述したように、図例では第１−第８の巻き取り方式（言い換えると、テープ式）の収納モジュール３１−１−３１−８を含んで構成されている。ここで、以下の説明において、各々の収納モジュールを総称する場合には、符号「３１」を付し、第１、第２、第３…の、各々の収納モジュールを区別する場合には、符号「３１−１、３１−２、３１−３…」を付す。尚、収納モジュール３１の数は特に限定されず、１個以上で、適宜の数を設定すればよい。８個の収納モジュール３１は、この例では、装置の奥行き方向（図２の紙面左右方向）に４個並んで１列を構成すると共に、その列が上下方向に２列を構成するように積み重ねられている。
【００４１】
この巻き取り方式の収納モジュール３１は、特開２０００−１２３２１９号公報に例示されるように、概略矩形箱状の筐体内に、紙幣をガイドする一枚のテープ、ガイド部材、及び、紙幣と共にテープを巻き取るリールを備えて構成されるか、又は、本件出願人が先に出願したＰＣＴ／ＪＰ２００９／０６６７２９に例示されるように、筐体内に、紙幣を挟む２枚のテープ、及び、紙幣を挟み込んだ２枚のテープを巻き取るリールを備えて構成される。いずれの構成においても、巻き取り方式の収納モジュール３１は、紙幣を一枚ずつ巻き取って収納すると共に、その収納した順番とは逆順で、紙幣を一枚ずつ繰り出す、いわゆる先入れ後出しとなるように紙幣を収納する。各収納モジュール３１は、この例では図２に示すように、それぞれテープが巻き付けられたテープリール３１３を２つ備え、テープリール３１３から引き出された２枚のテープによって紙幣を挟むように構成されており、紙幣は、互いに所定間隔を隔てながらリール３１１に巻き取られる。各収納モジュール３１にはまた、筐体の内外を連通するように形成された出入口の近傍に、紙幣の通過を検知する検知センサが設けられている。
【００４２】
金庫部側搬送部４３の搬送路４３１は、処理部側搬送部４１のループ搬送路４１１と同様に、ローラ、ベルト及びガイドの組み合わせによって構成されており、この搬送路４３１もまた、紙幣を一枚ずつ短手搬送する。搬送路４３１は、ループ搬送路４１１上の第１の分岐機構４１９から、鉛直下向きに延びると共に、その下端部において、奥行き方向の手前側（図２の紙面右側）及び奥側（図２の紙面左側）のそれぞれに分岐している。装置１の奥側に向かって延びる分岐路は、上下に積み重ねられた２列の収納モジュール３１の間に配設されている。各収納モジュール３１は、この分岐路上に設けられた振分機構４３３−１−４３３−８を介して分岐路に接続されている。各振分機構４３３−１−４３３−８は、後述する制御部５１３によって駆動制御され、そのことにより、紙幣が、識別部２５によって識別された金種及び／又は正損等に応じて複数の収納モジュール３１に振り分けられて収納されることになる。
【００４３】
この入出金機１では、紙幣を一時的に保留する一時保留部５１、及び、金庫部１３の防護筐体１３１内に着脱可能に取り付けられる回収カセット５３が、オプションで装着されるように構成されている。
【００４４】
一時保留部５１は、図２に一点鎖線で示すように、処理部側筐体１１１内における奥行き方向の手前側に設けられた空きスペース内に装着される。一時保留部５１は、前述したように、接続路４１１５を介して、第２の分岐機構４１１１に接続される。一時保留部５１は、この例では、前述した収納モジュール３１と同様に、２枚のテープを利用した巻き取り方式であり、紙幣の順番を入れ替えることなく、先入れ後出しとなるように紙幣を収納する。
【００４５】
回収カセット５３は、図２に一点鎖線で示すように、防護筐体１３１内における奥行き方向の手前側に設けられた空きスペース内に着脱可能に装着される。回収カセット５３は、前述したように、カセット接続路４１１７を介して、ループ搬送路４１１上の第３の分岐機構４１１３に接続されている。回収カセット５３は、巻き取り式の収納モジュール３１や一時保留部５１とは異なり、その内部に昇降する集積台５３１を備えかつ、この集積台上に紙幣を重ねて収納するように構成されている。これにより、回収カセット５３に収納された紙幣は、そこから繰り出すことはできない。回収カセット５３には、例えば入金処理時に投入口２１１に投入された紙幣の内、収納部３に収納しきれなかったオーバーフロー紙幣が収納される。また、出金処理時等に識別不可であったリジェクト紙幣が、この回収カセット５３に収納される場合がある。従って、回収カセット５３が未装着のときには、オーバーフロー紙幣やリジェクト紙幣は、出金口２３１に払い出される。尚、回収カセット５３は、図例に示すように箱状でなくても、袋状であってもよい。
【００４６】
また、防護筐体１３１内の空きスペースには、回収カセット５３が配設される代わりに、巻き取り式の収納モジュール３１を、さらに追加して装着することが可能である。追加の収納モジュール３１は、図２に示すように、例えば２個のモジュールが上下に積み重ねられて配設される場合があり、これら２個の収納モジュール３１はそれぞれ、搬送路４３１の下端から奥行き方向の手前側に延びる分岐路に対し、前述した振分機構を介して接続される。
【００４７】
図３は、入出金機１の動作制御に係る構成を示している。入出金機１は、例えば周知のマイクロコンピュータをベースとした制御部５１３を備えている。制御部５１３には、前述した入金部２１、出金部２３、第１−第ｎの収納モジュール３１を含む収納部３、処理部側搬送部４１、及び金庫部側搬送部４３が、信号の送受信可能に接続されている。これらの各部２１，２３，３，４１，４３は、図示は省略するが、例えば搬送路を搬送されている紙幣を検知するといった機能を有する各種のセンサを含んでおり、各種センサの検知信号は制御部５１３に入力される。制御部５１３は、入力された検知信号等に基づいて制御信号を出力し、各部２１，２３，３，４１，４３は、その制御信号に従って動作をする。
【００４８】
制御部５１３にはまた、識別部２５が接続されており、識別部２５は、識別結果を制御部５１３に提供する。さらに、図１等では図示を省略するが、テラー等の、この入出金機１を操作するオペレータに対するヒューマンインターフェース部分としての操作部５５、入出金機１が、例えばＬＡＮやシリアルバスを通じて、図示を省略する上位端末及びその他の機器との間で信号の送受信を行うための通信部５７、及び、各種の情報を記憶するための、例えばハードディスクドライブやフラッシュメモリ等の汎用のストレージデバイスにより構成される記憶部５９がそれぞれ、入出金機１に接続されている。
【００４９】
記憶部５９は、入出金機１が収納している紙幣の金種別枚数又は金額である在高を少なくとも記憶する。また、記憶部５９は、収納モジュール３１毎の在高も記憶する。
【００５０】
前述したように、オプション機器である一時保留部５１や回収カセット５３が、この入出金機１に装着されるときには、それらの機器５１，５３もまた、制御部５１３に接続されることにより、制御部５１３が出力する制御信号に従って動作をする。また、入出金機１には、各種の情報を表示するための、例えばフラットパネルディスプレイからなる表示部５１１がオプション機器として装着可能に構成されており、この表示部５１１もまた、制御部５１３に接続される。
【００５１】
制御部５１３は、通信部５７を通じて受けた上位端末からの指令、及び／又は、操作部５５を通じて受けた各種の指令に応じて、各部２１，２３，２５，３，４１，４３，５１，５３，５５，５７，５９，５１１の動作を制御する。このことにより、入出金機１は、以下に説明する入金処理及び出金処理を含む、各種処理を行う。入出金機１において実行した各種の処理の履歴は、記憶部５９にログとして記憶される。
【００５２】
（入金処理）
入金処理は、入出金機１に紙幣を入金（収納）する処理であり、投入口２１１に投入された紙幣は、識別部２５による識別結果と、予め設定された収納割当とに従って、いずれかの収納モジュール３１に収納される。より詳細に、入出金機１は、入金処理の際には、次のように動作する。すなわち、入金する紙幣を投入口２１１に投入した状態で、例えば上位端末及び／又は操作部５５の操作によって入金処理の開始コマンドを、入出金機１に入力する。図４に矢印で示すように、入金部２１の繰り出し機構は、投入口２１１の紙幣を一枚ずつ繰り出し、処理部側搬送部４１は、各紙幣を識別部２５に搬送する。識別部２５は、その紙幣の識別を行うと共に、計数を行う。処理部側搬送部４１はまた、識別部２５によって正常に識別された紙幣（この紙幣を、リジェクト紙幣の対の名称として正常紙幣と呼ぶ）を、図４に実線の矢印で示すように、ループ搬送路４１１から、第１の分岐機構４１９を通って金庫部側搬送部４３の搬送路４３１へと搬送する。金庫部側搬送部４３は、識別部２５による識別結果、及び、予め設定された収納割当に従って、各紙幣を所定の収納モジュール３１に収納する。すなわち、各紙幣は、金種別や正損別に応じて、いずれかの収納モジュール３１に収納される。
【００５３】
一方、処理部側搬送部４１は、識別部２５において真偽の識別ができない紙幣等、入出金機１がそのまま受け入れることができないリジェクト紙幣を、図４に一点鎖線の矢印で示すように、ループ搬送路４１１から分岐機構４１７を通って払出路４１５へと搬送する。そうして、リジェクト紙幣は、出金口２３１に払い出される。尚、入金処理時に発生したリジェクト紙幣は、投入口２１１に再度投入され、識別部２５による識別が、もう一度行われることになる。
【００５４】
また、入金処理時に、収納モジュール３１が満杯になることに起因して収納できなくなった紙幣（つまり、オーバーフロー紙幣）も、出金口２３１に払い出される。尚、図示は省略するが、入出金機１に回収カセット５３が装着されているときには、オーバーフロー紙幣は、回収カセット５３に収納される。
【００５５】
入金処理の終了後には、記憶部５９に記憶している在高を更新する。
【００５６】
（一時保留部がある場合の入金処理の例）
図４は、入出金機１に一時保留部５１が装着されていない場合の入金処理の動作例を示している。これに対し、図５は、一時保留部５１が入出金機１に装着されている場合の入金処理の動作例を示している。この動作例においても、入金部２１の繰り出し機構は、図４と同様に、投入口２１１に投入された紙幣を一枚ずつ繰り出し、処理部側搬送部４１は、各紙幣を識別部２５に搬送する。処理部側搬送部４１は、識別部２５によって正常に識別された正常紙幣を、図５に実線の矢印で示すように、ループ搬送路４１１から、第２の分岐機構４１１１を通って一時保留部５１に搬送し、そこに収納する。尚、リジェクト紙幣は、出金口２３１に払い出される。
【００５７】
そうして、投入口２１１に投入された紙幣が全て繰り出されることによって、入金される紙幣の計数が全て完了したときには、上位端末、及び／又は、オプションの表示部５１１に計数結果が表示される。オペレータは、その計数結果を確認した上で、上位端末及び／又は操作部５５において所定の収納操作を行う。このことによって、図５に破線の矢印で示すように、一時保留部５１は、そこに収納している紙幣を一枚ずつ繰り出し、処理部側搬送部４１は、各紙幣を、ループ搬送路４１１から第１の分岐機構４１９を通って、金庫部側の搬送路４３１へと搬送する。そうして、金庫部側搬送部４３は、識別部２５による識別結果、及び、予め設定された収納割当に従って、各紙幣を、金種別や正損別に応じて収納モジュール３１に収納する。尚、オペレータが、収納操作ではなく、所定のキャンセル操作を行ったときには、一時保留部５１に収納されている紙幣は、出金口２３１に払い出される。
【００５８】
（出金処理）
出金処理は、入出金機１に収納されている紙幣を払い出す処理である。具体的には、上位端末及び／又は操作部５５において、少なくとも金種と枚数とを指定する所定の出金操作を行うことによって、出金処理は開始する。収納部３は、図６に実線の矢印で示すように、指定された金種の紙幣を、それが収納されている収納モジュール３１から、指定された枚数だけ繰り出す。金庫部側搬送部４３は、繰り出された紙幣を、搬送路４３１を介して、処理部側搬送部４１のループ搬送路４１１へと搬送する。処理部側搬送部４１は、各紙幣を識別部２５に搬送し、識別部２５が識別を行った後に、ループ搬送路４１１から分岐機構４１７を通って払出路４１５へと搬送する。そうして、出金口２３１に各紙幣が払い出される。出金処理の終了後には、記憶部５９に記憶している在高を更新する。
【００５９】
出金される紙幣の枚数が出金口２３１の容量よりも多いときには、出金する紙幣を、複数回に分けて払い出す分割出金処理を行う。すなわち、分割出金処理では、出金口２３１の容量以下の枚数の紙幣を出金口２３１に払い出した時点で処理が中断し、出金口２３１から紙幣が取り除かれた後、出金処理が再開する。こうした処理の中断と再開とが、出金される紙幣の枚数に応じて繰り返される。
【００６０】
ここで、図６に示すように、一時保留部５１や回収カセット５３が装着されていない入出金機１においては、出金処理時に、識別部２５による識別が不可であったリジェクト紙幣が発生したときに、そのリジェクト紙幣は、正常紙幣と共に、出金口２３１に払い出すことになる。このように出金処理時にリジェクト紙幣が発生したときには、入出金機１及び／又は表示部５１１に、その旨（エラーメッセージ）が表示され、それによって、オペレータは、出金口２３１に払い出された紙幣に、リジェクト紙幣が含まれていることを認識することができる。
【００６１】
（精査処理）
前述した入金処理時に、識別部２５において識別及び計数をした後、各収納モジュール３１に紙幣を収納するまでの搬送中に、搬送異常が発生する場合がある。搬送異常としては、搬送路４１１，４３１に沿って紙幣を搬送している際に紙幣が斜めに搬送される場合（斜行）、複数の紙幣が所定の間隔を隔てないで搬送される場合（連鎖）、及び、複数の紙幣が重なって搬送される場合（重送）を例示することができる。こうした搬送異常は、例えば識別部２５の識別結果と各収納モジュール３１に取り付けられた紙幣の検知センサの検知結果とを照合することによって検出することが可能である。
【００６２】
入金処理時に、前述した連鎖や重送が発生したときには、搬送されている紙幣の順番がずれてしまって、紙幣が所望の収納モジュール３１に収納されなくなってしまう場合がある。その場合は、各収納モジュール３１に収納されている紙幣の金種や枚数が不確定になってしまう。そのため、入金処理時に搬送異常が発生したときには、各収納モジュール３１に収納されている紙幣の金種と枚数とを確定させる処理が必要になる。この処理は、精査処理と呼ばれ、精査処理は、具体的には、第１の収納部である各収納モジュール３１に収納されている紙幣を全て、一旦、繰り出して、識別部２５によって識別及び計数をし、その後、その紙幣を再び、収納モジュール３１に戻すことを行う。尚、収納モジュール３１から繰り出した紙幣は、識別の前又は後に、第２の収納部である収納モジュール３１に、一旦、収納される。一時保留部５１を備えた入出金機１では、第２の収納部として、一時保留部５１を用いるのがよい。
【００６３】
ここで、入金処理時に搬送異常が発生したことは、前述したように、識別部２５の識別結果と各収納モジュール３１の検知センサの検知結果との照合によって検出することになるため、その検出タイミングは、全ての紙幣が収納モジュール３１に収納された後になる。また、精査処理は、入金処理の際に、紙幣が一枚でも収納された収納モジュール３１の全てに対して行う必要があると共に、該当する収納モジュール３１に収納されている紙幣を全て繰り出さなければならない。そのため、精査処理に要する時間は長くなりやすい。また、収納モジュール３１に収納されている紙幣の枚数が多いほど、精査に要する時間も長くなる。
【００６４】
また、前述した出金処理時に、連鎖や重送といった搬送異常やリジェクト紙幣が生じたときにも、収納モジュール３１から繰り出した紙幣の枚数が不確定になるため、その出金処理後の収納モジュール３１の在高（つまり、収納モジュール３１の収納枚数）が未確定になる。そのため、紙幣を一枚でも繰り出した収納モジュール３１の全てに対して、精査処理を行うことによって、各収納モジュール３１の在高を確定させる必要がある。
【００６５】
しかしながら、入金処理後及び出金処理後の如何に拘わらず、精査処理の最中は入出金機１を使用することができないため、窓口業務に遅れが生じてしまうという不都合がある。
【００６６】
そこで、この入出金機１では、精査処理に要する時間を短縮させるために、各収納モジュール３１への紙幣の収納を工夫している。この工夫によって、精査処理時に収納モジュール３１に収納されている紙幣の全てを繰り出すのではなく、少なくとも一部の紙幣を繰り出すことだけで、収納モジュール３１についての精査処理が可能になり、精査処理に要する時間が短くなる。尚、以下において、収納モジュール３１に収納されている一部の紙幣のみを繰り出して行う精査処理を、一部精査処理と呼ぶ場合がある。
【００６７】
（収納モジュールへの紙幣の収納例）
図７は、収納モジュール３１への紙幣の収納形態の一例を示している。同図における紙面左右方向の中央には、巻き取り式の収納モジュール３１のリール３１１に巻き取られた紙幣の状態を、平面に展開して示している。図７の紙面上側は、リール３１１の径方向内方側に相当し、紙面下側は、リール３１１の径方向内方側に相当する。従って、図７の紙面上側の紙幣は、収納モジュール３１に先に収納された紙幣であり、紙面下側の紙幣は、収納モジュール３１に後から収納された紙幣であり、収納モジュール３１から紙幣を繰り出すときには、紙面下側の紙幣から順に、繰り出されることになる。
【００６８】
前述したように、入金処理時には、紙幣は、互いに所定間隔ｄを隔てながらリール３１１に巻き取られる。そして、図７に示す収納例では、入金処理毎（言い換えると、１取引毎に）、所定間隔ｄよりも広い区切りを設ける。
【００６９】
また、記憶部５９には、図６の左図に例示するように、収納モジュール３１毎に、通し番号と、金種と、ブロック番号とを互いに紐付けした収納情報を記憶しておく。通し番号は、当該収納モジュール３１に収納されている紙幣についての通し番号であり、この通し番号によって、当該収納モジュール３１に収納されている紙幣の枚数を特定することが可能である。また、ここでいう「ブロック番号」は、収納モジュール３１内での、区切りと区切りとの間の紙幣のまとまりを意味し、これは「取引番号」と置き換えることが可能である。従って、通し番号とブロック番号とを紐づけすることによって、通し番号、言い換えると収納モジュール３１の在高情報と、ブロック番号、言い換えると区切りとが対応づけられることになる。図例では、一点鎖線の矢印で示すように、リール３１１に巻き取られた紙幣と収納情報とが対応づけられているとする。記憶部５９に記憶されている、この収納情報は、入金処理を行う毎に更新される。
【００７０】
このような状態で、入金処理時に搬送異常が発生した場合を考える。この搬送異常が発生した入金処理を、ここでは、図６に示すように「取引３」とする。また、この例では、取引３よりも以前に行われた入金処理として「取引１」及び「取引２」があり、これら取引１及び取引２では、搬送異常が発生せず、取引１の完了時点、及び、取引２の完了時点の収納モジュール３１の在高は、記憶部５９に記憶されている収納情報によって確定しているとする。
【００７１】
取引３の最中に搬送異常が発生したため、その取引３の終了後には、該当する収納モジュール３１に対する精査処理が必要になる。このときに収納モジュール３１から繰り出す紙幣は、リール３１１に巻き取られた紙幣の内の、最初の区切りまでの紙幣とする。つまり、取引３において収納モジュール３１に収納した紙幣のみを、収納モジュール３１から繰り出して精査処理を実行する。少なくとも取引２の完了時点の収納モジュール３１の在高は確定していることから、取引２までの在高情報と今回の精査結果とに基づいて、当該収納モジュール３１の在高を確定させることが可能である。このように、紙幣の収納に際し、収納モジュール３１の在高情報に対応づけられた目印（つまり、この例では区切りに相当する。）を設けることによって、収納モジュール３１に収納されている紙幣を全て繰り出さなくても、一部の紙幣のみを繰り出すことによって精査処理を行うことが可能になる。これは、精査処理に要する時間を短縮する。ここで、紙幣の繰り出しは、前述の通り、取引３だけに限定すればよいが、例えば搬送異常が発生した入金処理（この例では、取引３）と、その一つ前の入金処理（この例では、取引２）とを含めるようにしてもよい。尚、紙幣の繰り出しは任意に設定することが可能である。
【００７２】
ここで、区切りの検知は、例えば図７の右図に示すように、収納モジュール３１の出入口近傍に配置された検知センサの信号に基づいて検知すればよい。つまり、紙幣を繰り出している最中に、紙幣同士の通常の間隔ｄよりも広い間隔を検出したときには、区切りに到達したと検知することが可能であり、そのタイミングで、収納モジュール３１からの紙幣の繰り出しを停止すればよい。尚、区切りの間隔は、搬送中の紙幣の詰まりを検出するためのジャムタイマの計時時間Ｔ１に相当する間隔よりも短く設定することが望ましい。こうすることによって、紙幣の詰まりの誤検出が回避される。
【００７３】
一方、出金処理時に精査処理が必要な状況になったときには、その精査処理時には、収納モジュール３１から、紙幣を任意の区切りまで繰り出せばよい。例えば最初の区切りまで紙幣を繰り出すことにすれば、繰り出し枚数を最も少なくすることができ、精査処理の時間の短縮に有利になる。そうして、前述した入金処理後の精査処理と同様に、出金処理後においても、一部精査処理が可能になる。
【００７４】
ここで、取引毎に区切りを設けていたのでは、区切りの数が多くなりすぎて、収納モジュール３１の収納容量が少なくなる可能性がある。そこで、取引と取引との間に区切りを設ける代わりに、収納モジュール３１に収納した枚数が所定の枚数を超える毎に、区切りを設けるようにしてもよい。こうすることで、取引毎に区切りを設ける場合と比較して区切りの数が減るため、区切りが多くなることに起因して収納モジュール３１の収納容量が少なくなることが回避される。一方で、前述の通り、精査処理の際に、収納モジュール３１に収納されている紙幣の全てを繰り出す必要がないため、精査処理に要する時間が短縮する。このことは特に、収納容量の確保と精査時間の短縮とを、バランスよく両立させる上で有利である。
【００７５】
一部精査処理は、収納モジュール３１内に、その在高情報と関連づけた目印を設けていることによって可能になるから、前述した、紙幣同士の区切り以外の目印を利用することも可能である。以下、区切り以外の目印の例として、紙幣の記番号を利用する例と、収納モジュール３１において紙幣を巻き取るためのテープの位置（テープの番地）を利用する例とについて説明する。すなわち、一部精査処理の目印としては、紙幣同士の区切りやテープの位置等、形態や物理量といった物理的な目印や、記番号等、データとして記憶される論理的な目印を用いることができる。これらの目印は、それぞれ単独で用いてもよいが、複数の目印を同時に用いることによって、目印の信頼性を高めることができる。
【００７６】
（記番号を利用した紙幣の収納例）
図８は、記番号を利用する例における収納モジュール３１への紙幣の収納形態の一例を示している。この例では、紙幣同士の区切りは不要であるため、同図に示すように、紙幣は、所定間隔ｄを隔ててリール３１１に巻き取られている。
【００７７】
記番号を利用する場合は、収納モジュール３１に紙幣を収納する際に、紙幣の記番号を読み取り、それを記憶しておく必要がある。記番号の読み取りは、例えば識別部２５が行うようにしてもよい。その場合、識別部２５は、紙幣の真偽、金種及び正損の識別の他に、紙幣に印字されている記番号を光学的に読み取る機能を有するように構成すればよい。尚、記番号の読み取りは識別部２５ではなく、識別部２５とは別の読取部を、例えばループ搬送路４１１上に配置してもよい。そうして読み取った記番号の情報は、図８の左図に例示するように、収納モジュール３１毎に、通し番号と金種とに紐付けした収納情報として、記憶部５９に記憶しておく。こうして、在高情報（つまり、通し番号）と目印（つまり、記番号）とが対応づけられる。図例では、一点鎖線の矢印で示すように、リール３１１に巻き取られた紙幣と、収納情報とが対応づけられているとする。記憶部５９に記憶されている収納情報が入金処理を行う毎に更新される点は、前記と同様である。
【００７８】
この構成では、例えば入金処理時に搬送異常が発生することによって、精査処理が必要な状況になれば、［当該入金処理において収納モジュール３１に収納した枚数の紙幣］＋［少なくとも一枚の紙幣］を収納モジュール３１から繰り出す。そうして、繰り出した紙幣の識別及び計数を行うと共に、少なくとも最後に繰り出した紙幣については、その記番号を読み取る。読み取った記番号は、記憶部５９に記憶している収納情報の記番号と照合する。読み取った記番号が収納情報に含まれているときには、その紙幣よりも前に収納している紙幣の金種及び枚数は、記憶部５９に記憶されている収納情報によって確定している。そこで、収納モジュール３１からの紙幣の繰り出しを終了して、精査処理を終了する。読み取った記番号が収納情報に含まれていないときには、収納情報に含まれている記番号の紙幣が繰り出されるまで、収納モジュール３１からの紙幣の繰り出しを継続する。
【００７９】
一方、出金処理時に精査処理が必要な状況になったときには、その精査処理時には、収納情報に含まれている記番号の紙幣が繰り出されるまで、収納モジュール３１から紙幣を繰り出す。
【００８０】
この例では、紙幣の記番号を目印として利用し、収納モジュール３１に収納されている紙幣の少なくとも一部を繰り出すことだけで精査処理を可能にしているため、前述した区切りを利用する例と同様に、精査処理に要する時間を短縮することが可能である。また、この例では、リール３１１に巻き取る紙幣と紙幣との間に、相対的に広い間隔の区切りを設けないため、収納モジュール３１の収納容量が減らないという利点がある。
【００８１】
尚、紙幣の記番号の読み取り及び記憶を、全ての紙幣について行うのではなく、例えば所定枚数毎に記番号の読み取り及び記憶を行ってもよいし、各取引における最後の紙幣について、記番号の読み取り及び記憶を行ってもよい。また、それらを組み合わせてもよい。これらは、記憶部５９の記憶容量の節約に有利である。尚、記番号の照合に際して、記番号の全ての一致を条件としてもよいし、少なくとも一部の一致を条件としてもよい。これは精査処理に要する時間の短縮に有利になる。また、少なくとも一部の一致が、複数枚の紙幣について成立することを条件としてもよい。
【００８２】
（テープの番地を利用した紙幣の収納例）
図９は、テープの番地を利用する例を示している。前述したように、巻き取り式の収納モジュール３１は、この例では、２枚のテープで紙幣を挟み込みながら、そのテープをリール３１１に巻き付けることによって紙幣を巻き取る。このため、図９に示すように、テープ３１５の長さ方向の位置と、リール３１１に巻き取られた各紙幣とが１対１に対応づけられる。そこで、この例では、テープ３１５の長さ方向の位置を、「テープの番地」と呼び、これを目印として利用する。テープ３１５の長さ方向の位置（つまり、テープの番地）は、収納モジュール３１内に取り付けられかつ、テープ３１５の繰り出し及び巻き戻しの状態を検知するエンコーダの出力（パルス数）から取得することが可能である。例えば入出金機１の立ち上げ時（設置初期時）に、テープ３１５の繰り出し及び巻き戻しを行うことによってエンコーダの出力とテープの番地とを対応づけるキャリブレーションを行えばよい。
【００８３】
この例では、入金処理時に、収納モジュール３１に収納される紙幣が所定の枚数となる毎に、その紙幣の巻き取り位置に対応するテープの番地が、エンコーダの出力によって特定される。そして、テープの番地情報が、通し番号と金種とに紐付けされた収納情報とし、記憶部５９に記憶される。これによって、在高情報（つまり、通し番号）と目印（つまり、テープの番地）とが対応づけられる。尚、所定の枚数毎にではなく、紙幣の一枚一枚について、テープ３１５の番地を記憶するようにしてもよい。また、取引を基準に、例えば取引の最初に収納された紙幣についてのテープ番地や、取引の最後に収納された紙幣についてのテープ番地を記憶するようにしてもよい。さらに、紙幣の枚数と取引とを組み合わせてもよい。図例では、一点鎖線の矢印で示すように、リール３１１に巻き取られた紙幣と、収納情報とが対応づけられているとする。記憶部５９に記憶されている収納情報が入金処理を行う毎に更新される点は、前記と同様である。
【００８４】
この構成では、例えば入金処理時に搬送異常が発生することによって、精査処理が必要な状況になれば、当該入金処理よりも以前に収納モジュール３１に収納した紙幣であって、テープ３１５の番地が記憶されている紙幣まで、収納モジュール３１から紙幣を繰り出して、精査処理を行う。つまり、テープ３１５の番地が記憶されている紙幣よりも前に収納している紙幣の金種及び枚数は、記憶部５９が記憶している収納情報によって確定しているためである。
【００８５】
一方、出金処理時に精査処理が必要な状況になったときも同様に、その精査処理時には、収納モジュール３１から、テープ３１５の番地が記憶されている紙幣まで繰り出す。
【００８６】
この例では、テープの番地を目印として利用し、収納モジュール３１に収納されている紙幣の少なくとも一部を繰り出すことだけで精査処理を可能にしているため、前述した区切りを利用する例と同様に、精査処理に要する時間を短縮することが可能である。また、この例でも、リール３１１に巻き取る紙幣と紙幣との間に、相対的に広い間隔の区切りを設けないため、収納モジュール３１の収納容量が減らないという利点がある。尚、紙幣とテープの番地とを対応付けることと同様に、紙幣と紙幣との間隔の部分とテープの番地とを対応付けても、同様の精査処理が可能である。
【００８７】
（出金処理から計数処理への移行）
前述したように、この入出金機１は、回収カセット５３が装着されていないときには、出金処理時に発生したリジェクト紙幣を、正常紙幣と共に、出金口２３１に払い出すように構成している（図６参照）。このため、リジェクト紙幣が発生したときには、出金口２３１に払い出された紙幣の特定及びその枚数の確定のために、計数処理が必要である。また、出金口２３１に払い出された紙幣の計数をしなければ、収納部３の在高が不確定になる場合もある。このように、この入出金機１ではリジェクト紙幣を出金口２３１に払い出すように構成していることから、出金処理の際にリジェクト紙幣が発生したときには、その後に、計数処理を必ず行わなければならない。計数処理は、オペレータが手で、又は、別の計数装置（例えば、紙幣計数機）を用いて行うことが一般的である。このことは、オペレータの作業を繁雑にする。また、リジェクト紙幣と正常紙幣との双方が出金口２３１に払い出された場合は、紙幣の枚数が多くなるかもしれない。紙幣の枚数が多くなればなるほど、計数処理のためのオペレータの負担は大きくなる。そのため、リジェクト紙幣を出金口２３１に払い出す構成においては、オペレータの負担を軽減しつつも、紙幣の管理を適切に行うことができる構成が望まれる。
【００８８】
これに対し、この入出金機１では、出金処理時にリジェクト紙幣が発生したときには、オペレータの負担を軽減しつつ、貨幣の管理を適切に行うように、計数処理に移行するように構成されている。
【００８９】
図１０は、入出金機１の出金処理に係るフローチャートを示している。先ず、スタート後のステップＳＡ１では、オペレータの操作によって、出金処理の実行が指定されたか否かを判定する。出金処理の実行が指定されていないとき（ＮＯのとき）には、ステップＳＡ１を繰り返す。つまり、出金処理の実行が指定されるまで待機する。出金処理の実行が指定されたとき（ＹＥＳのとき）には、ステップＳＡ２に移行する。ステップＳＡ２では、前述の通りに、出金処理を実行する。
【００９０】
続くステップＳＡ３においては、出金処理時にリジェクト紙幣が発生したか否かを判定する。リジェクト紙幣が発生しなかったとき（ＮＯのとき）には、フローはそのまま終了する。一方、リジェクト紙幣が発生したとき（ＹＥＳのとき）には、ステップＳＡ４に移行する。このとき、記憶部５９は、リジェクト紙幣が発生した出金処理のログを、計数処理が必要な出金処理のログとして、出金処理前の在高の情報と共に、記憶する。
【００９１】
ステップＳＡ４では、オペレータが計数処理の実行を指定したか否かを判定する。つまり、この入出金機１では、出金処理後の計数処理の実行の要否が、オペレータによって任意に選択することができるように構成されている。例えば引き続き次の出金処理を行って、窓口業務を停滞無く進める必要があるときは、次の出金処理を先に行い、その後に、計数処理を行う方がよい場合がある。そこで、この入出金機１では、出金処理後の計数処理の実行の要否を、オペレータが任意に選択する。このことは、入出金機１の使い勝手を高める。
【００９２】
ステップＳＡ４において、計数処理の実行が指定されなかったとき（ＮＯのとき）には、ステップＳＡ６に移行する。ステップＳＡ６では、出金処理が、リジェクト紙幣が発生せずに正常に終了したか否かを判定し、正常に終了したとき（ＹＥＳのとき）には、フローを終了する。一方、正常に終了しなかったとき（ＮＯのとき）には、出金処理を再度行うべく、ステップＳＡ２に戻る。
【００９３】
また、ステップＳＡ４において、計数処理の実行が指定されたとき（ＹＥＳのとき）には、ステップＳＡ５に移行し、計数処理を実行する。
【００９４】
（出金処理後の計数処理）
出金処理後の計数処理は、出金口２３１に払い出された紙幣を全て（つまり、リジェクト紙幣と正常紙幣との双方を含んでいる）投入口２１１に投入し、その状態でオペレータが所定の開始操作を行うことによって開始される。図１１に示すように、入金部２１の繰り出し機構は、投入口２１１の紙幣を一枚ずつ繰り出し、処理部側搬送部４１は、各紙幣を識別部２５に搬送する。識別部２５は、各紙幣の識別と計数とを行う。処理部側搬送部４１はまた、識別部２５を通過した後の紙幣を、図１１に実線の矢印で示すように、ループ搬送路４１１から分岐機構４１７を通って払出路４１５へと搬送する。そうして、全ての紙幣は、出金口２３１に、再び払い出される。このようにして行われた計数処理の結果は、上位端末及び／又は表示部５１１に表示され、このことによりオペレータは、計数結果を認識することが可能になる。
【００９５】
出金処理後に、入出金機１が計数処理を行うことによって、オペレータは手で計数処理を行う必要がなくなり、オペレータの負担が軽減される。また、出金処理を行った入出金機１と同じ装置で、しかも、出金処理に連続して計数処理を行うことにより、オペレータの作業は簡略化するため、オペレータの負担は、より一層軽減される。また、入出金機１が出金処理と計数処理との双方を行うことは、履歴の管理、及び、ログの追跡に有利になる。
【００９６】
計数処理の計数結果は、前述したように上位端末や表示部５１１に表示することによって、オペレータが、出金処理時に払い出された紙幣の枚数の確認に利用することが可能である。このことにより、オペレータが、手動で、出金処理後の収納部３の在高を確定させることも可能になる。一方、計数結果を利用して、入出金機１の収納部３の在高を自動で確定させてもよい。すなわち、この計数結果は、計数処理が必要な出金処理において払い出された紙幣の金種別枚数であるから、その出金処理を行う前の在高から、計数結果を減算することによって、出金処理後の在高を確定することが可能である。
【００９７】
尚、計数処理時にリジェクト紙幣が発生した場合は、それに関するリジェクト情報（金種及び枚数）を、例えばオペレータが手動で入力し、記憶部５９はそれを記憶する。そうして、計数処理の結果と、記憶部５９に記憶しているリジェクト情報とに基づいて、入出金機１の在高を確定させればよい。
【００９８】
出金処理時にリジェクト紙幣が発生したときには、計数処理の実行と共に、精査処理を実行することによって、計数結果、精査結果及び出金処理前の収納部３の在高を、照合するようにしてもよい。こうした運用は、例えば出金処理から計数処理への移行に際し、出金口２３１から投入口２１１に紙幣を入れ替えたときに、紙幣の一部の投入漏れが生じてしまったような場合でも、そのことが明らかになる。つまり、出金処理時にリジェクト紙幣が発生したときの紙幣の管理を、より一層適切に行うことが可能になる。
【００９９】
ここで、精査処理としては、収納モジュール３１に収納されている紙幣の全てを繰り出して行う、通常の精査処理としてもよいし、前述した一部精査処理としてもよい。
【０１００】
尚、出金処理時にリジェクト紙幣が発生したときには、計数処理に移行する前に、出金処理の実行を別途指定して、出金処理を正常に完了させることによって、窓口業務を速やかに完了させるようにしてもよい。計数処理は、正常な出金処理の完了後に、実行すればよい。この場合は、リジェクト紙幣が発生したときに出金口２３１に払い出された紙幣（リジェクト紙幣及び正常紙幣を含む）は、計数処理を開始するまで、別途、管理しておけばよい。
【０１０１】
また、オペレータが計数処理を行った場合には、その計数結果を、手動で入力することにより、記憶部５９が記憶している、計数処理が必要な出金処理のログと、計数結果とを関連づけることが可能になり、出金処理後の在高が確定する。オペレータが計数処理を行った場合、入出金機１は計数処理を行う必要がないため、手動で計数結果が入力されたときには、計数処理への移行を解除すればよい。尚、計数処理が必要な出金処理のログが、記憶部５９に複数、記憶されているときには、オペレータは計数結果を入力する際に、その計数結果を関連づける出金処理のログを、手動で選択すればよい。
【０１０２】
また、出金処理後の計数処理においては、図１１に一点鎖線の矢印で示すように、収納部３に収納可能な正券は収納モジュール３１に収納するようにしてもよい。こうした運用は、入出金機１の紙幣の利用効率を高める上で有利になる。
【０１０３】
尚、前記の構成では、出金処理の終了後に、オペレータが計数処理への移行を手動で行うようにしているが（図１０のステップＳＡ４）、出金処理から計数処理への移行を、自動的に行うようにしてもよい。
【０１０４】
また、分割出金処理を行うときには、全ての紙幣の払い出しが終了した後に、計数処理に移行してもよいし、リジェクト紙幣が発生した回の紙幣の払い出しが終了した時点で出金処理を中断し、計数処理に移行してもよい。この場合は、計数処理の終了後に、出金処理を再開すればよい。
【０１０５】
また、出金処理後の計数処理（尚、この明細書において「出金処理後」には、前述した出金処理を中断することが含まれる場合がある）としては、紙幣の識別及び計数を行うこと以外にも、紙幣の計数のみを行うようにしてもよい。入出金機１が払い出した紙幣の枚数と、計数結果（紙幣の枚数）とが一致すれば、出金処理の際の出金内容に基づいて、在高を確定することが可能である。
【０１０６】
また、図５に示すように、入出金機１に一時保留部５１が装着されているときには、出金処理の際に発生したリジェクト紙幣を一時保留部５１に収納するようにしてもよい。この構成では、正常紙幣のみを出金口２３１に払い出すことによって、出金処理を正常にかつ早期に終了させ、その後に、一時保留部５１に収納したリジェクト紙幣の計数処理を行うようにしてもよい。一時保留部５１に収納していたリジェクト紙幣は、出金処理において払い出された紙幣が出金口２３１から取り除かれた後で、出金口２３１に払い出し、計数処理の際に、その紙幣を投入口２１１に投入するようにしてもよい。また、リジェクト紙幣のみついての計数処理の結果に基づいて、収納モジュール３１の在高を、手動で又は自動で、更新してもよい。特にリジェクト紙幣が、再度、識別不可と識別されたようなときには、オペレータが手動で、収納モジュール３１の在高を更新してもよい。
【０１０７】
（収納モジュールの構成）
図１２は、入出金機１から、収納部３を引き出した状態を示している。図１、１２に示すように、入出金機１の金庫部１３の前側には開閉扉１３２が取り付けられており、この開閉扉１３２を開くことによって金庫部１３の前部開口を開放して、その内部に収容されている収納部３を、入出金機１の前側に引き出すことが可能に構成されている。尚、図１２に示すように、回収カセット５３が入出金機１に装着されているときには、その回収カセット５３（又は追加の収納モジュール３１が装着されているときには、その追加の収納モジュール３１）も、収納部３と共に、入出金機１の前側に引き出される。
【０１０８】
図１２において符号６１は、図１７にも示すように、概略矩形箱状の台板であり、この台板６１は、底板６１１及び左右の側板６１２、６１３を含んでいて、その上部が上向きに開口している。台板６１の左右の側面には、前後方向に延びるガイドレール６１８が取り付けられており（尚、図１２では左側のガイドレールのみを図示する）、このガイドレール６１８は、図示は省略するが、入出金機１の防護筐体１３１の内側壁に設けられた支持部にスライド可能に支持されることによって、台板６１を、入出金機１に対し前後方向に相対移動することを可能にする。台板６１は、前後方向の長さが左右方向の幅に比べて長い縦長形状を有しており、詳しくは後述するが、この台板６１の中には、４つの収納モジュール、より正確には下側の４個の収納モジュール３１−２、３１−４、３１−６、３１−８が前後方向に並んで配設される。そうして前後方向に並んだ収納モジュール３１の各々に対し別の収納モジュール３１が積み重ねられることによって、上側の４個の収納モジュール３１−１、３１−３、３１−５、３１−７が、前後方向に並んで配設されることになる。
【０１０９】
図１３、１４は、上側に配置される収納モジュールの外観を示しており、これらの図では理解容易のために、収納モジュールの内部の構成の図示を一部省略している。尚、以下においては、上側に配置される収納モジュールを、上収納モジュールと呼び、符号６２を付す場合がある。ここで、図１４は、図１３に示す上収納モジュール６２の状態から、その天地を反転させると共に、その左右を入れ替えた状態を示している。
【０１１０】
上収納モジュール６２は、左右両側に配置された左側板６２１と、右側板６２２とを備えており、左側板６２１と右側板６２２との上部は、上板６２３によって互いに連結されている一方、左側板６２１と右側板６２２との下部は、前述した、収納モジュール３１間の搬送路（つまり、搬送路４３１から分岐した分岐路であり、以下においてはこの分岐路を搬送路と呼び、符号４３２を付す（図１９参照））の一部を構成する搬送部材６２４によって、互いに連結されている。搬送部材６２４は、その下面が搬送路４３２の上側の面を構成する第１の搬送面６２５とされている。この第１の搬送面６２５には、前述の振分機構４３３を構成する多数の分岐部材６２８が設けられ、この分岐部材６２８は一体で揺動する。分岐部材６２８が搬送路４３１へ突出すると、上収納モジュール６２と搬送路４３１との間で紙幣の搬送が可能となる。分岐部材６２８が上収納モジュール内に退避すると、紙幣は上収納モジュール６２を通過する。また、第１の搬送面６２５には、分岐部材６２８及び後述する下収納モジュール６５の分岐部材６５８（図１５参照）が移動するための多数の凹溝とが形成されていると共に、紙幣を搬送するための複数個の搬送ローラ６２９が設けられている。図１４では、分岐部材６２８が第１の搬送面６２５から突出した状態を示している。
【０１１１】
また、上収納モジュール６２の左側板６２１には、連結板６３と位置決めピン６４１とが、それぞれ取り付けられている。連結板６３は、上収納モジュール６２の左側板６２１に固定される略矩形の本体部６３１と、この本体部６３１の前後の両端部から下向きに延びることによって、図１９に拡大して示すように、上収納モジュール６２の下端よりも下方に突出する一対の案内部６３２、６３２とを備えていて、全体として逆Ｕ字状を有している。各案内部６３２の下端部は、図１９に明示されるように、外側方に向かって斜め下向きに傾斜しており、これによって、詳しくは後述するが、上収納モジュール６２を、下収納モジュール６５に対してその上方から取り付けるときに、上収納モジュール６２を案内して、上収納モジュール６２と下収納モジュール６５との相対的な位置決めを行うようにしている。また、位置決めピン６４１は、連結板６３の本体部６３１から、左側方に向かって突出して配設されている。
【０１１２】
さらに、図１４に示すように、上収納モジュール６２の右側板６２２の下端部には、その右側板６２２の外面から突出した位置決めピン６４２が取り付けられている。
【０１１３】
図１５、１６は、下側に配置される収納モジュールの外観を示しており、これらの図でも理解容易のために、収納モジュールの内部の構成の図示を一部省略している。尚、以下においては、下側に配置される収納モジュールを、下収納モジュール６５と呼ぶ場合がある。ここで、図１６は、図１５に示す下収納モジュール６５の状態から、その天地を反転させると共に、その左右を入れ替えた状態を示している。
【０１１４】
下収納モジュール６５は、上収納モジュール６２と同様に、左右両側に配置された左側板６５１と右側板６５２とを備えており、左側板６５１と右側板６５２との上部は、収納モジュール間の搬送路４３２の一部を構成する搬送部材６５３によって、互いに連結されている。この搬送部材６５３は、その上面が、搬送路４３２の下側の面を構成する第２の搬送面６５４とされている。この第２の搬送面６５４には、前述の振分機構４３３を構成する多数の分岐部材６５８が設けられ、この分岐部材６５８は一体で揺動する。分岐部材６５８が搬送路４３１へ突出すると、下収納モジュール６５と搬送路４３１との間で紙幣の搬送が可能となる。分岐部材６５８が下収納モジュール内に退避すると、紙幣は下収納モジュール６５を通過する。また、第２の搬送面６５４には、分岐部材６５８及び、前述の上収納モジュール６２の分岐部材６２８（図１４参照）が移動するための多数の凹溝とが形成されていると共に、紙幣を搬送するための複数個の搬送ローラ６５９が設けられている。図１５では、分岐部材６５８が下収納モジュール６５内に退避した状態を示している。
【０１１５】
下収納モジュール６５の左側板６５１の上端部には、上収納モジュール６２の連結板６３及び位置決めピン６４１と係合する規制板６６が取り付けられている。規制板６６は、連結板６３における一対の案内部６３２、６３２間に相当する長さを有する略矩形状であって、下収納モジュール６５の上端よりも上方に突出するように起立して配設されている。規制板６６の中間部には、その上端に開口すると共に、鉛直下向きに延びる切欠き６６１が形成されており、この切欠き６６１内に上収納モジュール６２の位置決めピン６４１が挿入される。規制板６６の上端部はまた、図１９に明示されるように、外側方に向かって斜め上向きに傾斜しており、これによって、上収納モジュール６２を、下収納モジュール６５に対してその上方から取り付けるときに、上収納モジュール６２を案内して、上収納モジュール６２と下収納モジュール６５との相対的な位置決めを行う。
【０１１６】
また、下収納モジュール６５の右側板６５２の上端部には、上収納モジュール６２の位置決めピン６４２と係合する規制片６７が形成されている。この規制片６７は、下収納モジュール６５の右側板６５２から上方に突出するように設けられており、この規制片６７の上端に開口する切り欠き６７１が、鉛直下向きに延びて形成されている。規制片６７の上端部はまた、規制板６６と同様に、外側方に向かって斜め上向きに傾斜している（図１９参照）。
【０１１７】
下収納モジュール６５の下端にはまた、この下収納モジュール６５を、台板６１に対して取り付け固定するための孔６５５と、挿入片６５６とが形成されている。孔６５５は、図１７、１８に示すように、台板６１の底板６１１における所定の位置に設けられた突起６１４が内挿される孔であって、図１５、１６に示すように、下収納モジュール６５の左側板６５１の下端面に形成されている。尚、図１７では、突起６１４を３つのみ図示しているが、台板６１には、そこに取り付けられる４つの下収納モジュール６５に対応して、４つの突起６１４が前後方向に所定の間隔を空けて設けられている。また、挿入片６５６は、台板６１の底板６１１における所定の位置に設けられたスリット６１５に挿入される片であって、図１６、１８に示すように、挿入片６５６は、下収納モジュール６５の右側板６５２の下端面に、前後方向に間隔を空けて、下向きに突出するように２つ形成されている。尚、図１７では、５つのスリット６１５のみを図示しているが、台板６１には合計８個のスリット６１５が形成されている。
【０１１８】
また、台板６１には、下収納モジュール６５の位置決めのために、図１７に示すように、平面視でＬ字状のガイド部材６１６と、仕切り板６１７とが取り付けられている。ガイド部材６１６は、台板６１における右側板６１３に取り付けられて、下収納モジュール６５の右後の角部に当接することによって、下収納モジュール６５の位置決めを行う。ガイド部材６１６は、台板６１に４つ取り付けられている。一方、仕切り板６１７は、台板６１における左側板６１２から、内方に向かって拡がるように取り付けられており、前後方向に隣り合う２つの下収納モジュール６５の間に位置して、各下収納モジュール６５の位置決めを行う。仕切り板６１７は、台板６１に３つ取り付けられている。
【０１１９】
搬送路４３２は、図１９に示すように、第１の搬送面６２５と第２の搬送面６５４が向かい合って構成される。搬送路４３２を搬送される紙幣は、搬送ローラ６２９と搬送ローラ６５９に挟まれて搬送される。
【０１２０】
以上の構成の上収納モジュール６２及び下収納モジュール６５は、次のようにして、台板６１（つまり、台板６１が結合されている防護筐体１３１である本体）に取り付けられる。先ず、下収納モジュール６５は、台板６１の内部に向かって上から下向きに移動させることで、そこに取り付けられる。このときに、台板６１のガイド部材６１６及び仕切り板６１７が、下収納モジュール６５を所定の取付位置に案内する。そうして、図１８に示すように、下収納モジュール６５の挿入片６５６が台板６１のスリット６１５に内挿され、それと共に、台板６１の突起６１４が、下収納モジュール６５の孔６５５に内挿されることによって、下収納モジュール６５の、台板６１に対する取り付けが完了する。下収納モジュール６５は、挿入片６５６及びスリット６１５、孔６５５及び突起６１４、ガイド部材６１６、仕切り板６１７、並びに左右の側板６１２、６１３によって、台板６１に対し前後左右の位置決めがなされる。同様にして、残り３つの下収納モジュール６５のそれぞれを台板６１に取り付ける。こうすることで、図示は省略するが、前後方向に４つ並んだ下収納モジュール６５の、搬送部材６５３の上面によって、前後方向に延びる第２の搬送面６５４が構成される。
【０１２１】
上収納モジュール６２は、台板６１に取り付けられた４つの下収納モジュール６５それぞれに対して取り付ける。こうして、下収納モジュール６５を介して、台板６１、つまり防護筐体１３１に取り付けられる。上収納モジュール６２もまた、上から下向き移動させることで、下収納モジュール６５に重ね合わせる。このときに、上収納モジュール６２の連結板６３の案内部６３２（つまり、外側方の斜め下向きに拡がる案内形状）、並びに、下収納モジュール６５の規制板６６（つまり、外側方の斜め上向きに拡がる案内形状）及び規制片６７（つまり、外側方の斜め上向きに拡がる案内形状）によって、上収納モジュール６２は、下収納モジュール６５における所定の取付位置に案内される。そうして、図１９に示すように、上収納モジュール６２の左右の側板６２１、６２２のそれぞれが、下収納モジュール６５の左右の側板６５１、６５２のそれぞれと突き当たると共に（図１９の一点鎖線参照）、上収納モジュール６２の位置決めピン６４１が下収納モジュール６５の規制板６６の切り欠き６６１に内挿されかつ、上収納モジュール６２の位置決めピン６４２が下収納モジュール６５の規制片６７の切り欠き６７１内に挿入されて、上収納モジュール６２と下収納モジュール６５との連結、ひいては台板６１に対する取り付けが完了する。上収納モジュール６２と下収納モジュール６５とは、位置決めピン６４１と切り欠き６６１とが互いに係合しかつ、位置決めピン６４２と切り欠き６７１とが互いに係合することによって、前後方向の位置決めがなされ、規制板６６が連結板６３の外面に当接しかつ、規制片６７が上収納モジュール６２の右側板６５２の外面に当接することによって、左右方向の位置決めがなされる。このようにして、各下収納モジュール６５に対し上収納モジュール６２を連結させることによって、前後方向に４つ並んだ上収納モジュール６２の搬送部材６２４の下面によって、第２の搬送面６５４に向かい合う第１の搬送面６２５が、前後方向に延びて構成されるようになる。そうして、図１９に示すように、第１の搬送面６２５及び第２の搬送面６５４により上収納モジュール６２と下収納モジュール６５との間で水平方向に延びる搬送路４３２が構成される。
【０１２２】
下収納モジュール６５及び上収納モジュール６２の、台板６１に対する取り付けが全て完了すれば、台板６１を防護筐体１３１内に押し込んで、各収納モジュール６２、６５を、筐体１３１内に収容する。この収容状態では、図２に概略的に示すように、防護筐体１３１内に取り付けている板ばね１３３が、各上収納モジュール６２の上板６２３を下向きに押圧する。これにより、防護筐体１３１内で、上収納モジュール６２及び下収納モジュール６５がそれぞれ、動かないように保持されることになる。
【０１２３】
そして、入出金機１の動作中に、上収納モジュール６２と下収納モジュール６５との間の搬送路４３２においてジャムが発生したときには、先ず、図１２に示すように、金庫部１３の開閉扉１３２を開いて、台板６１を入出金機１の前側に引き出す。これによって、上収納モジュール６２及び下収納モジュール６５を全て筐体１３１の外に引き出す。このように上収納モジュール６２及び下収納モジュール６５を引き出すことに伴い、板ばね１３３による保持が無くなるため、上収納モジュール６２（及び下収納モジュール６５）を、台板６１から取り外すことが可能になる。
【０１２４】
各上収納モジュール６２は、図１２に矢印で示すように、前述した取り付け時とは逆に上向きに引き上げることによって、下収納モジュール６５（言い換えると台板６１）から容易に取り外すことができる。上収納モジュール６２を取り外すことに伴い、下収納モジュール６５によって構成される、搬送路４３２の第２の搬送面６５４を上向きに開放することが可能になる。このように、上収納モジュール６２と下収納モジュール６５とが互いに独立しており、上収納モジュール６２を上向きに移動させることによって、下収納モジュール６５から分離することが可能である。このことは、ジャム発生時の紙幣の取り除き作業を容易にする。
【０１２５】
つまり、上収納モジュールと下収納モジュールとを互いに結合した従来の構成例、例えば上収納モジュールと下収納モジュールとをヒンジ結合した構成例では、上収納モジュールは回動させることしかできず、しかも上収納モジュールを、下収納モジュールから分離することができない。このため、上収納モジュールを大きく回動させるためには、入出金機の周囲の特定の位置、言い換えると回動する上収納モジュールが移動する位置に、予め空きスペースを確保しなければならない。しかしながら、特定の位置に十分な空きスペースを確保することができないときには、上収納モジュールを大きく回動させることができず、その結果、搬送路を大きく開放することができなくなる。特にヒンジ結合を採用した場合、回動角度が小さいときには、ヒンジ軸に近い側の搬送路は、ほとんど開放することができない。このことは、紙幣の取り除き作業を困難にし、作業性を低下させる。
【０１２６】
これに対し、上収納モジュール６２と下収納モジュール６５とを分離可能にした前記の構成では、上収納モジュール６２を下収納モジュール６５から取り外した後、その上収納モジュール６２を自由に移動させることが可能である。このため、入出金機１の周囲の特定の位置に空きスペースを確保しなければならないという制約は無くなる。つまり、入出金機の周囲の任意の位置に空きスペース（例えば紙幣の取り除きを行う作業者が立つためのスペース）があれば、上収納モジュール６２を取り外して、開放された搬送路４３２から紙幣を取り除く作業は可能である。このことは、入出金機１の設置場所の如何に拘わらず、ジャム発生時の紙幣の取り除きを容易にする。
【０１２７】
また、上収納モジュール６２を下収納モジュール６５から取り外して分離することができるため、下収納モジュール６５の第２の搬送面６５４を大きく開放することが可能になる。より詳細には、上収納モジュール６２を取り外した後は、下収納モジュール６５の第２の搬送面６５４は、真上からは勿論のこと、入出金機１の左側方からも、右側方からも視認することが可能になる。このことは、紙幣の取り除き作業を行う際の、作業位置の制約を無くし、その作業性を大幅に高める上で有利になる。
【０１２８】
また、前記の構成では、前後方向に４つ並んだ上収納モジュール６２は互いに独立しているため、４つの上収納モジュール６２を個別に取り外すことも可能である。そのため、ジャムの発生箇所に対応する上収納モジュール６２のみを、取り外して紙幣を取り除くことが可能であり、作業性のさらなる向上が図られる。
【０１２９】
また、上収納モジュール６２だけでなく、下収納モジュール６５も互いに独立していて、台板６１から個別に取り外しことが可能である。そのため、例えば上収納モジュール６２と下収納モジュール６５とを互いに連結した状態で、上収納モジュール６２と下収納モジュール６５との双方を、台板６１から一度に取り外すことも可能である。これは、ジャム発生時に紙幣を取り除くことに限らず、収納モジュールのメンテナンスを容易化する上で有利な構成である。尚、上収納モジュール６２を下収納モジュール６５に取り付けた状態で、両者を分離不可能となるように互いに結合するロック機構を設けてもよい。この構成では、ロック機構が上収納モジュール６２及び下収納モジュール６５を結合しているときには、上収納モジュール６２と下収納モジュール６５との双方を、台板６１から一度に取り外すことを容易に行うことができる。また、ロック機構が上収納モジュール６２及び下収納モジュール６５の結合を解除することによって、前述したように、上収納モジュール６２を下収納モジュール６５から取り外して、これら２つのモジュール６２、６５を分離することが可能になる。また、下収納モジュール６５と台板６１との間にも、同様のロック機構を設けてもよい。このようなロック機構を備えた構成では、前述した上収納モジュール６２及び下収納モジュール６５を保持するための板ばね１３３を省略することが可能である。
【０１３０】
また、ここでは、搬送路の第２の搬送面を、下収納モジュール６５の上面によって構成しているが、搬送路の第２の搬送面は、必ずしも収納モジュールによって構成しなくてもよい。例えば第２の搬送面を有する搬送ユニットを備え、その搬送ユニット上に、前述した上収納モジュール６２を配置する構成を採用してもよい。
【０１３１】
また、ここでは、搬送路４３２を水平方向に延びるように形成し、上収納モジュール６２を、水平方向に直交する垂直方向に移動させることによって、本体に対する取り付け及び取り外しを行うようにしている。つまり、上収納モジュール６２の着脱方向を垂直方向に設定しているが、これとは異なり、搬送路を例えば垂直方向に延びるように形成し、収納モジュールを、水平方向に移動させることによって、その取り付け及び取り外しを行うようにしてもよい。つまり、上収納モジュール６２の着脱方向を水平方向に設定してもよい。
【０１３２】
尚、ここに開示する技術が適用される入出金機は、テラーカウンター用の入出金機には限定されない。例えば店舗等において、売上金を入金するための入出金機に、本技術を適用してもよい。
【０１３３】
また、ここに開示する技術は、紙幣の入金及び出金を行う入出金機ではなく、投入された紙幣の入金を行う入金機や、収容している紙幣の払い出しを行う出金機に適用してもよい。また、紙幣に限定されず、小切手やチケット等の紙葉類の処理装置に、広く適用することが可能である。
【産業上の利用可能性】
【０１３４】
以上説明したように、ここに開示した紙葉類処理装置は、ジャム発生時に紙葉類の取り除きを容易に行い得る点で有用である。
【符号の説明】
【０１３５】
１  入出金機（紙葉類処理装置）
１３１  防護筐体（本体）
３  収納部
３１  収納モジュール
４３２  搬送路
６２  上収納モジュール（第１の収納モジュール）
６２５  第１の搬送面
６５  下収納モジュール（第２の収納モジュール）
６５４  第２の搬送面
【図１】
2012226494.tif 000003
【図２】
2012226494.tif 000004
【図３】
2012226494.tif 000005
【図４】
2012226494.tif 000006
【図５】
2012226494.tif 000007
【図６】
2012226494.tif 000008
【図７】
2012226494.tif 000009
【図８】
2012226494.tif 000010
【図９】
2012226494.tif 000011
【図１０】
2012226494.tif 000012
【図１１】
2012226494.tif 000013
【図１２】
2012226494.tif 000014
【図１３】
2012226494.tif 000015
【図１４】
2012226494.tif 000016
【図１５】
2012226494.tif 000017
【図１６】
2012226494.tif 000018
【図１７】
2012226494.tif 000019
【図１８】
2012226494.tif 000020
【図１９】
2012226494.tif 000021